(57)【要約】
【課題】確実にかつ簡単に接続し得る接続具の提供をする。
【解決手段】端部相互間を突き合わせて接続する一対のパイプの端部相互間に跨るように挿入して接続する接続具において、接続具本体1は管状部材２a，２bの内形に対応した外形にて軸方向に２分割した形状にダイキャスト鋳鉄にて形成し、かつ外周の軸心方向における複数箇所に硬質ゴム3を環状に装着し、更に前記複数箇所の硬質ゴム3相互間に、２分割面の相互間を離間する離間ネジ8を設ける。一方、前記離間ネジ8の位置に対応したパイプに穿設されて操作穴6を介して離間ネジ8を回転操作することにより弾性部材3を接続具本体1をパイプの内面に密着させて強固に接続する。
【選択図】　　　図１
0003100117.tif 000002
【実用新案登録請求の範囲】
【請求項１】
　端部を突き合わせて接続する一対の管状部材の端部相互間に跨って装着して接続する接続具において、
　前記管状部材の内形面に対応した外形で軸方向に２分割に形成した一対の接続具本体と、該接続具本体の外周の軸心方向における複数箇所に装着する環状の弾性部材と、該弾性部材相互間に位置する前記接続具本体間の対応面の相互間を離間する固定ネジとから成り、前記管状部材の前記離間ネジに対応した位置に該離間ネジの操作穴を穿設し、該操作穴を介して前記離間ネジを回動操作して、前記接続具本体を前記管状部材の内壁面に密着固定することを特徴とする管状部材の接続具。
【請求項２】
　前記接続具本体がダイキャスト鋳鉄から成ることを特徴とする請求項１記載の管状部材の接続具。
【請求項３】
　前記弾性部材が硬質ゴム材から成ることを特徴とする請求項１記載の管状部材の接続具。
【考案の詳細な説明】
【技術分野】
【０００１】
　本考案は、構造体のフレームを構成する管状部材の接続具に係り、管状部材の端部相互間に跨って装着して接続する接続具に関する。
【背景技術】
【０００２】
　従来の構造体のフレームを構成する管状部材の接続具は、図８に示す軸方向断面図及び図９に示す軸直角断面図に開示されように、方形又は円形の管状部材１２ａ，１２ｂの端部１２ｃ，１２ｃを突合せ、両者に跨ってＵ字形に反り返った形状の２枚の締付鋼板１１a，１１bを互いに相反する方向に対向させて配置した接続具を装着して行う。この接合具は、接続すべき一対の管状部材１２a，１２bそれぞれの端部１２ｃ，１２ｃから双方に跨るように装着し、締付ネジ１３を回動させて、締付鋼板１１a，１１bの相互間を離間させる。これにより、締付鋼板１１a，１１bが管状部材１２a，１２bの内面を圧接して一体的に固定される構成のものである（例えば、特許文献１、２、３、４参照）。
　図８において、１４は接続具本体1２ａ，１２ｂ側に設けられた締付ネジ穴１３に対応した位置に穿設されている締付ネジ操作穴のキャップである。
【０００３】
　しかしながら、上記各参照文献に示される接続具の構成は、いずれも複数枚の固定鋼板から構成されるものである。このため締付鋼板１１a，１１bの弾性力にて管状部材１２a，１２bの内面に圧接することにより、管状部材１２a，１２b同士を固定される方式であるので、締付鋼板１１a，１１bの内壁面を線状に押圧することになり、滑りが生じやすく接続状態が必ずしも確実なものではなかった。
【０００４】
【特許文献１】特公昭５０−３５７３４号公報　図１、図５
【特許文献２】特開２００２−２４２９１１号公報　図１、図２、図３
【特許文献３】実開昭５９−１０８８０３号公報　図２、図４
【特許文献４】実開平４−１３６１５５号公報　図１
【考案の開示】
【考案が解決しようとする課題】
【０００５】
　よって本考案は上記従来の問題点に鑑みて考案されたものであり、確実にかつ簡単に接続し得る接続具の提供を目的とするものである。
【課題を解決するための手段】
【０００６】
　本考案の接続具に係る請求項１は、端部を突き合わせて接続する一対の管状部材の端部相互間に跨って装着して両者を接続する接続具において、前記管状部材の内形面に対応した外形で軸方向に２分割に形成した一対の接続具本体と、該接続具本体の外周の軸心方向における複数箇所に装着する環状の弾性部材と、該弾性部材相互間に位置する前記接続具本体間の対応面の相互間を離間する固定ネジとから成り、前記管状部材の前記固定ネジに対応した位置に該固定ネジの操作穴を穿設し、該操作穴を介して該固定ネジを回転操作して、前記接続具本体を前記管状部材の内壁面に密着固定することを特徴とする。
【０００７】
　請求項２は、２分割されている一対の接続具本体が、ダイキャスト鋳鉄から成ることを特徴とするものである。
　請求項３は、前記弾性部材が、硬質ゴム材から成ることを特徴とするものである。
【考案の効果】
【０００８】
　本考案の接続具は、一対の管状部材の内部に挿入する接続具を、管状部材の内形に対応した外形にて軸方向に２つ割りの形状にてダイキャスト鋳鉄により形成したことにより、従来の接続具に比べて剛性が高く管状部材を接合できる。
【０００９】
　また、管状部材の内面と接続具外周との間に硬質ゴム製の弾性部材を介在させたことにより、接続具の２分割面を離間する方向に締め上げたときに管状部材の内面に接続具が弾性部材を介して密着することにより、滑り止めされて確実に接続される。
【００１０】
　更に、弾性部材を接続具本体の外周の軸心方向における複数箇所に装着したことにより、管状部材の内面の広範囲に接続具が弾性部材を介して密着する管状部材の接続がバランスよく行われる。
【考案を実施するための最良の形態】
【００１１】
　接続具本体をダイキャスト鋳鉄にて形成することにより剛性を強化し、管状部材の内面と接続具本体の外形との間に硬質ゴム製の弾性部材を介在させて管状部材の内面と接続具の外面との密着性を高めることにより、滑りがなく、バランス良く確実に接続ができる接続具を実現する。
【実施例１】
【００１２】
　図1から図5は本考案の実施例１に係り、図２は接続具本体の正面図、図３は同側面図、図４は図３のA−A線矢視断面図、図５は接続具の作動を示す図、図１は管状部材の接続状態を示す図、図6は図１のB−B線矢視断面図である。
【００１３】
　本考案に係る接続具は、端部２ｄを突き合わせて接続する一対の管状部材（以下パイプ２という）の端部２ｄ相互間に跨るようにパイプ２に装着して両者を接続するものである。
【００１４】
　接続具は、図１に示すように、パイプ２の内形面に対応した外形で軸方向に２分割に形成した一対の接続具本体１ａ，１ｂと、この接続具本体１ａ，１ｂの外周の軸心方向における複数箇所に装着した環状の弾性部材３と、この弾性部材３相互間に位置する前記一対の接続具本体１ａ，１ｂの対応面の相互間を離間する離間ネジ８とから構成される。前記管状部材２ａ，２ｂには、固定ネジ８に対応した位置に離間ネジ８を操作する操作穴６が穿設されている。
【００１５】
　接続具本体１は、本実施例では方形のパイプ2の内形に対応した方形の外形にて軸方向に２分割された形状にダイキャスト鋳鉄にて形成されている。そして接続具本体1には、図1及び図2に示すように、弾性部材であるゴムベルト3が軸心方向における左右に2箇所づつ環状に装着されいる。更に、一方の接続具本体１aにはゴムベルト3の相互間に分割した対応面２ｅ，２ｅを離間する離間用ネジ穴4が設けられ、他方の接続具本体１bには離間ネジ８の先端部がネジ径より一段細く形成された無ネジ部８aの挿入凹部5が設けられている。
【００１６】
　また、パイプ2には、図１に示すように、接続具本体1側に設けられた離間ネジ穴4に対応した位置に離間ネジ回動操作用の操作穴6が穿設されいる。この操作穴6には常時キャップ7が装着されている。これにより、見栄えがよくなる。
【００１７】
　次に、上記構成の接続具1の作用について説明する。
　本実施例における接続具1は、図２，３及び４に示すパイプ２の端部２ｄ，２ｄを突合せる。このパイプ２の内形面に対応した外形で軸方向に２分割に形成した一対の接続具本体１ａ，１ｂを装着する。すなわち、図５に示すように、分割された一方の接続具本体１a側に離間ネジ8を螺合し、他方の本体１b側の凹部５に無ネジ部８aを嵌めてパイプ２a，２b内に挿入しうるように対応面２ｅ，２ｅの間隔を調整する。この状態で、図１に示すように、装着された接続具本体１ａ，１ｂをパイプ２a，２bに穿設された操作穴6にドライバーを差し込んで離間ネジ8を回動して締め上げる。これにより２分割の対応面２ｅ，２ｅが離間され、ゴムベルト３が圧縮されてパイプ２a，２bの内面に密着し、強固にかつ確実に固定される。
【００１８】
　最後にこの操作穴6にキャップ7が装着される。これにより、接合部の見栄えがよくなる。
【実施例２】
【００１９】
　図７は本考案の実施例２を示す接続状態を示す図である。
　本実施例では前記実施例１においてパイプ２の端部２a，２bを直接に付き合わせて接続したことに替えて、図7に示すように、パイプ端部相互間にゴム等の柔軟性を有するリング9を介在させた例である。その他の構成は前記実施例１と同様であるので、同一部分には同一符号を付してその説明を省略する。
　本実施例によれば、パイプの継ぎ目の体裁が向上し、かつパイプ内に水分等が浸入しない。その他の作用効果は前記実施例１と同様である。
【００２０】
　以上述べた接続具は、断面方形の管状部材に限らず円形その他多角形の形状にも対応することが可能である。また弾性部材3を複数箇所に分散して装着したがこれに限らず、接続具本体1の軸方向における広範囲に連続的に装着してもよい。
【図面の簡単な説明】
【００２１】
【図１】本考案に係る接続具の接続状態を示す断面説明図である。
【図２】接続具本体の正面図である。
【図３】図２の側断面面図である。
【図４】図３のA−A線矢視断面図である。
【図５】接続具の作動を示す断面説明図である。
【図６】図5のB−B線矢視断面図である。
【図７】管状部材の他例の接続状態を示す図である。
【図８】従来の接続具の説明図である。
【図９】従来の接続具の説明図である。
【符号の説明】
【００２２】
　1…接続具本体，2…パイプ，3…ゴムベルト，4…ネジ穴，5…凹部，6…操作穴，
7…キャップ，8…離間ネジ
【図１】
0003100117.tif 000003
【図２】
0003100117.tif 000004
【図３】
0003100117.tif 000005
【図４】
0003100117.tif 000006
【図５】
0003100117.tif 000007
【図６】
0003100117.tif 000008
【図７】
0003100117.tif 000009
【図８】
0003100117.tif 000010
【図９】
0003100117.tif 000011